(57)【要約】【課題】記録品質に優れた記録を行うことができる記録方法を提供する。【解決手段】情報記録媒体にマークを形成するときの光源の発光パルスの形状及びパルス数の少なくとも一方を含む記録条件が所定の基準に従って設定され（ステップ５０９）、その記録条件に基づいてデータが記録されるとともに、記録条件に関する情報が情報記録媒体の所定位置に記録される（ステップ５１５、５１７）。これにより、別の情報記録装置を用いて、この情報記録媒体に更にデータを記録する場合には、情報記録媒体の所定位置を再生することにより、最適な記録条件を即座に知ることができ、その結果として試し書きなどを行うことなく、迅速に記録品質に優れた記録を行うことが可能となる。【選択図】　図７
2004086951.tif 000002
【特許請求の範囲】
【請求項１】
光源をパルス発光させて情報記録媒体に対する記録を行う記録方法であって、
前記情報記録媒体にマークを形成するときの前記光源の発光パルスの形状及びパルス数の少なくとも一方を含む記録条件を所定の基準に従って設定する第１工程と；
前記記録条件に基づいて前記情報記録媒体にデータを記録するとともに、前記記録条件に関する情報を前記情報記録媒体の所定位置に記録する第２工程と；を含む記録方法。
【請求項２】
前記記録条件は、前記光源の記録パワー及び前記データの記録速度のうちの少なくとも一方を更に含むことを特徴とする請求項１に記載の記録方法。
【請求項３】
前記記録条件に関する情報は、前記情報記録媒体にデータを記録する際に用いられた情報記録装置に関する情報を含むことを特徴とする請求項１又は２に記載の記録方法。
【請求項４】
前記所定位置は、所定のサブコードエリア及び所定のダミーデータ記録領域の少なくとも一方であることを特徴とする請求項１〜３のいずれか一項に記載の記録方法。
【請求項５】
前記所定位置は前記ダミーデータ記録領域を含み、
前記ダミーデータ記録領域は、リードアウト領域及びパケット間のリンク領域のいずれかであることを特徴とする請求項４に記載の記録方法。
【請求項６】
前記第１工程では、前記情報記録媒体に記録されている記録条件に関する情報に従って前記記録条件を設定することを特徴とする請求項１〜５のいずれか一項に記載の記録方法。
【請求項７】
前記第１工程に先だって、前記情報記録媒体に記録条件に関する情報が記録されているか否かを判断する第３工程と；
その判断の結果、記録条件に関する情報が記録されている場合に、前記情報記録媒体から記録条件に関する情報を取得する第４工程と；を更に含むことを特徴とする請求項６に記載の記録方法。
【請求項８】
前記情報記録媒体は、書き換え可能な情報記録媒体であり、
前記第３工程に先だって、事前に前記第２工程でのデータの記録が上書きであるか否かを判断する第５工程を更に含み、
その判断の結果、前記データの記録が上書きの場合に、前記第３工程の判断を行うことを特徴とする請求項７に記載の記録方法。
【請求項９】
光源をパルス発光させて情報記録媒体に対して記録を行う情報記録装置で用いられるプログラムであって、
前記情報記録媒体にマークを形成するときの前記光源の発光パルスの形状及びパルス数の少なくとも一方を含む記録条件を所定の基準に従って設定する第１の手順と；
前記記録条件に基づいて前記情報記録媒体にデータを記録するとともに、前記記録条件に関する情報を前記情報記録媒体の所定位置に記録する第２の手順と；を前記情報記録装置の制御用コンピュータに実行させるプログラム。
【請求項１０】
前記記録条件は、前記光源の記録パワー及び前記データの記録速度のうちの少なくとも一方を更に含むことを特徴とする請求項９に記載のプログラム。
【請求項１１】
前記記録条件に関する情報は、前記情報記録媒体にデータを記録する際に用いられた情報記録装置に関する情報を含むことを特徴とする請求項９又は１０に記載のプログラム。
【請求項１２】
前記所定位置は、所定のサブコードエリア及び所定のダミーデータ記録領域の少なくとも一方であることを特徴とする請求項９〜１１のいずれか一項に記載のプログラム。
【請求項１３】
前記所定位置は前記ダミーデータ記録領域を含み、
前記ダミーデータ記録領域は、リードアウト領域及びパケット間のリンク領域のいずれかであることを特徴とする請求項１２に記載のプログラム。
【請求項１４】
前記第１の手順として、前記情報記録媒体に記録されている記録条件に関する情報に従って前記記録条件を設定する手順を前記制御用コンピュータに実行させることを特徴とする請求項９〜１３のいずれか一項に記載のプログラム。
【請求項１５】
前記第１の手順に先だって、
前記情報記録媒体に記録条件に関する情報が記録されているか否かを判断する第３の手順と；
その判断の結果、記録条件に関する情報が記録されている場合に、前記情報記録媒体から記録条件に関する情報を取得する第４の手順と；を前記制御用コンピュータに更に実行させることを特徴とする請求項１４に記載のプログラム。
【請求項１６】
前記情報記録媒体は、書き換え可能な情報記録媒体であり、
前記第３の手順に先だって、事前に前記第２の手順でのデータの記録が上書きであるか否かを判断する第５の手順を前記制御用コンピュータに更に実行させ、
その判断の結果、前記データの記録が上書きの場合に、前記第３の手順を前記制御用コンピュータに実行させることを特徴とする請求項１５に記載のプログラム。
【請求項１７】
請求項９〜１６のいずれか一項に記載のプログラムが記録されたコンピュータ読み取り可能な記録媒体。
【請求項１８】
光源をパルス発光させて情報記録媒体に対して記録を行う情報記録装置であって、
前記情報記録媒体にマークを形成するときの前記光源の発光パルスの形状及びパルス数の少なくとも一方を含む記録条件を所定の基準に従って設定する条件設定手段と；
前記記録条件に基づいて前記情報記録媒体にデータを記録するとともに、前記記録条件に関する情報を前記情報記録媒体の所定位置に記録する記録手段と；を備える情報記録装置。
【請求項１９】
前記情報記録媒体に記録条件に関する情報が記録されているか否かを判断する判断手段と；
前記判断手段での判断の結果、記録条件に関する情報が記録されている場合に、前記情報記録媒体から記録条件に関する情報を取得する条件取得手段と；を更に備え、
前記条件設定手段は、前記条件取得手段で取得された記録条件に関する情報に従って前記記録条件を設定することを特徴とする請求項１８に記載の情報記録装置。
【請求項２０】
前記情報記録媒体における最適な記録パワーを求めるための試し書き手段を更に備え、
前記条件設定手段は、前記試し書き手段にて求められた最適な記録パワーを参照して前記記録条件を設定することを特徴とする請求項１８又は１９に記載の情報記録装置。
【発明の詳細な説明】
【０００１】
【発明の属する技術分野】
本発明は、記録方法、プログラム及び記録媒体、並びに情報記録装置に係り、更に詳しくは、情報記録媒体に情報を記録する記録方法、情報記録装置で用いられるプログラム及び該プログラムが記録された記録媒体、並びに情報記録媒体に情報を記録する情報記録装置に関する。
【０００２】
【従来の技術】
近年、パーソナルコンピュータは、その機能が向上するに伴い、音楽や映像といったＡＶ（Ａｕｄｉｏ−Ｖｉｓｕａｌ）情報を取り扱うことが可能となってきた。これらＡＶ情報の情報量は非常に大きいために、情報記録媒体としてＣＤ（ｃｏｍｐａｃｔ　ｄｉｓｃ）やＤＶＤ（ｄｉｇｉｔａｌ　ｖｅｒｓａｔｉｌｅ　ｄｉｓｃ）などの光ディスクが注目されるようになり、その低価格化とともに、情報記録装置としての光ディスク装置がパーソナルコンピュータの周辺機器の一つとして普及するようになった。光ディスク装置では、光ディスクのスパイラル状又は同心円状のトラックが形成された記録面にレーザ光の微小スポットを照射することにより情報の記録及び消去を行い、記録面からの反射光に基づいて情報の再生などを行っている。そして、光ディスク装置には、情報記録媒体の記録面にレーザ光を照射するとともに、記録面からの反射光を受光するために、光ピックアップ装置が設けられている。
【０００３】
通常、光ピックアップ装置は、レーザ光を所定の発光パワー（出力）で出射する光源、その光源から出射されるレーザ光を情報記録媒体の記録面に導くとともに、記録面で反射されたレーザ光を所定の受光位置まで導く光学系、及びその受光位置に配置された受光素子などを備えている。
【０００４】
【発明が解決しようとする課題】
光ディスクでは、互いに反射率の異なるマーク（ピット）領域及びスペース領域のそれぞれの長さとそれらの組み合わせとによって情報が記録される。そこで、光ディスクに情報を記録する際には所定の位置にマーク領域及びスペース領域がそれぞれ形成されるように光源の発光パワーが制御される。
【０００５】
例えば、記録層に特殊合金を含むＣＤ−ＲＷ（ＣＤ−ｒｅｗｒｉｔａｂｌｅ）、ＤＶＤ−ＲＷ（ＤＶＤ−ｒｅｗｒｉｔａｂｌｅ）、及びＤＶＤ＋ＲＷ（ＤＶＤ＋ｒｅｗｒｉｔａｂｌｅ）などの書き換え可能な光ディスク（以下、便宜上「相変化型ディスク」という）では、マーク領域を形成する時には、レーザ光により特殊合金を第１の温度に加熱した後、発光パワーを小さくして特殊合金を急冷し、特殊合金をアモルファス（非晶質）状態にしている。スペース領域を形成する時には、レーザ光により特殊合金を第２の温度（＜第１の温度）に加熱した後、特殊合金を徐冷し、特殊合金を結晶状態にしている。これにより、マーク領域では、スペース領域よりも反射率が低くなる。
【０００６】
相変化型ディスクでは、蓄熱の影響を除去するために、マーク領域を形成するときの発光パワーを複数のパルスに分割（マルチパルス化）することが行なわれている。このような発光パワーの制御方式はマルチパルス記録方式とも呼ばれている。なお、以下では、マルチパルス記録方式におけるパワー制御信号のハイレベルに対応する発光パワーを加熱パワー（又は記録パワー）、ローレベルに対応する発光パワーを冷却パワーという。
【０００７】
マルチパルス記録方式において、マーク領域を形成するときの発光パワーをマルチパルス化する規則（方式）は、記録ストラテジと呼ばれている。この記録ストラテジには、一例として図９に示されるように、記録チャネルクロックＣＬＫの１周期（１Ｔ）を基準とする１Ｔ記録ストラテジ（図９のＰＷ１）と２周期（２Ｔ）を基準とする２Ｔ記録ストラテジ（図９のＰＷ２）とが提案されている。一般的には、記録速度が１６倍速以下のときに１Ｔ記録ストラテジが採用され、記録速度が２０倍速以上のときに２Ｔ記録ストラテジが採用されている。
【０００８】
相変化型ディスクでは、すでに情報が記録されている領域に、新たな情報を記録（上書き）することができる。この場合に、前回情報を記録するのに用いた情報記録装置とは異なる情報記録装置を用いて上書きすることが可能である。しかしながら、情報記録装置の種類や特性によって情報の記録時に用いられる記録ストラテジ及び記録速度が大きく異なることがある。例えば、２Ｔ記録ストラテジに準拠したパワー制御信号で記録された領域に１Ｔ記録ストラテジに準拠したパワー制御信号で上書きする場合や、その逆の場合などに、記録速度によっては記録品質が著しく低下するおそれがあった。
【０００９】
本発明は、かかる事情の下になされたもので、その第１の目的は、記録品質に優れた記録を行うことができる記録方法を提供することにある。
【００１０】
また、本発明の第２の目的は、情報記録装置の制御用コンピュータにて実行され、記録品質に優れた記録を行うことができるプログラム及びそのプログラムが記録された記録媒体を提供することにある。
【００１１】
また、本発明の第３の目的は、記録品質に優れた記録を行うことができる情報記録装置を提供することにある。
【００１２】
【課題を解決するための手段】
請求項１に記載の発明は、光源をパルス発光させて情報記録媒体に対して記録を行う記録方法であって、前記情報記録媒体にマークを形成するときの前記光源の発光パルスの形状及びパルス数の少なくとも一方を含む記録条件を所定の基準に従って設定する第１工程と；前記記録条件に基づいて前記情報記録媒体にデータを記録するとともに、前記記録条件に関する情報を前記情報記録媒体の所定位置に記録する第２工程と；を含む記録方法である。
【００１３】
これによれば、情報記録媒体にマークを形成するときの光源の発光パルスの形状及びパルス数の少なくとも一方を含む記録条件が所定の基準に従って設定される（第１工程）。そして、その記録条件に基づいてデータが記録される（第２工程）とともに、記録条件に関する情報が情報記録媒体の所定位置に記録される（第３工程）。従って、この情報記録媒体の所定位置を再生することにより、データが記録されたときの最適な記録条件を知ることができる。そこで、例えば別の情報記録装置を用いて、この情報記録媒体に更にデータを記録する場合には、情報記録媒体の所定位置を再生することにより、最適な記録条件を即座に知ることができる。従って、その結果として試し書きなどを行うことなく、迅速に記録品質に優れた記録を行うことが可能となる。
【００１４】
この場合において、請求項２に記載の記録方法の如く、前記記録条件は、前記光源の記録パワー及び前記データの記録速度のうちの少なくとも一方を更に含むこととすることができる。
【００１５】
上記請求項１及び２に記載の各記録方法において、請求項３に記載の記録方法の如く、前記記録条件に関する情報は、前記情報記録媒体にデータを記録する際に用いられた情報記録装置に関する情報を含むこととすることができる。
【００１６】
上記請求項１〜３に記載の各記録方法において、請求項４に記載の記録方法の如く、前記所定位置は、所定のサブコードエリア及び所定のダミーデータ記録領域の少なくとも一方であることとすることができる。かかる場合には、データとは独立して記録条件に関する情報を記録することができるため、情報記録媒体からの記録条件に関する情報の取得が容易となる。
【００１７】
この場合において、請求項５に記載の記録方法の如く、前記所定位置は前記ダミーデータ記録領域を含み、前記ダミーデータ記録領域は、リードアウト領域及びパケット間のリンク領域のいずれかであることとすることができる。かかる場合には、記録領域を有効に利用することができる。
【００１８】
上記請求項１〜５に記載の各記録方法において、請求項６に記載の記録方法の如く、前記第１工程では、前記情報記録媒体に記録されている記録条件に関する情報に従って前記記録条件を設定することとすることができる。かかる場合には、その情報記録媒体に最適な記録条件を即座に設定することが可能となる。
【００１９】
この場合において、請求項７に記載の記録方法の如く、前記第１工程に先だって、前記情報記録媒体に記録条件に関する情報が記録されているか否かを判断する第３工程と；その判断の結果、記録条件に関する情報が記録されている場合に、前記情報記録媒体から記録条件に関する情報を取得する第４工程と；を更に含むこととすることができる。
【００２０】
この場合において、請求項８に記載の記録方法の如く、前記情報記録媒体は、書き換え可能な情報記録媒体であり、前記第３工程に先だって、事前に前記第２工程でのデータの記録が上書きであるか否かを判断する第５工程を更に含み、その判断の結果、前記データの記録が上書きの場合に、前記第３工程の判断を行うこととすることができる。かかる場合には、前回と同じ条件でデータを記録することができるため、記録品質の低下を抑制することが可能となる。
【００２１】
請求項９に記載の発明は、光源をパルス発光させて情報記録媒体に対して記録を行う情報記録装置で用いられるプログラムであって、前記情報記録媒体にマークを形成するときの前記光源の発光パルスの形状及びパルス数の少なくとも一方を含む記録条件を所定の基準に従って設定する第１の手順と；前記記録条件に基づいて前記情報記録媒体にデータを記録するとともに、前記記録条件に関する情報を前記情報記録媒体の所定位置に記録する第２の手順と；を前記情報記録装置の制御用コンピュータに実行させるプログラムである。
【００２２】
これによれば、情報記録媒体にマークを形成するときの光源の発光パルスの形状及びパルス数の少なくとも一方を含む記録条件が所定の基準に従って設定される。そして、その記録条件に基づいて情報記録媒体にデータが記録されるとともに、記録条件に関する情報が情報記録媒体の所定位置に記録される。従って、この情報記録媒体の所定位置を再生することにより、データが記録されたときの最適な記録条件を知ることができる。そこで、例えば別の情報記録装置を用いて、この情報記録媒体に更にデータを記録する場合には、情報記録媒体の所定位置を再生することにより、最適な記録条件を即座に知ることができる。従って、試し書きなどを行うことなく、迅速に記録品質に優れた記録を行うことが可能となる。
【００２３】
この場合において、請求項１０に記載のプログラムの如く、前記記録条件は、前記光源の記録パワー及び前記データの記録速度のうちの少なくとも一方を更に含むこととすることができる。
【００２４】
上記請求項９及び１０に記載の各プログラムにおいて、請求項１１に記載のプログラムの如く、前記記録条件に関する情報は、前記情報記録媒体にデータを記録する際に用いられた情報記録装置に関する情報を含むこととすることができる。
【００２５】
上記請求項９〜１１に記載の各プログラムにおいて、請求項１２に記載のプログラムの如く、前記所定位置は、所定のサブコードエリア及び所定のダミーデータ記録領域の少なくとも一方であることとすることができる。かかる場合には、データとは独立して記録条件に関する情報を記録することができるため、情報記録媒体からの記録条件に関する情報の取得が容易となる。
【００２６】
この場合において、請求項１３に記載のプログラムの如く、前記所定位置が前記ダミーデータ記録領域を含む場合には、前記ダミーデータ記録領域は、リードアウト領域及びパケット間のリンク領域のいずれかであることとすることができる。
【００２７】
上記請求項９〜１３に記載の各プログラムにおいて、請求項１４に記載のプログラムの如く、前記第１の手順として、前記情報記録媒体に記録されている記録条件に関する情報に従って前記記録条件を設定する手順を前記制御用コンピュータに実行させることとすることができる。
【００２８】
この場合において、請求項１５に記載のプログラムの如く、前記第１の手順に先だって、前記情報記録媒体に記録条件に関する情報が記録されているか否かを判断する第３の手順と；その判断の結果、記録条件に関する情報が記録されている場合に、前記情報記録媒体から記録条件に関する情報を取得する第４の手順と；を前記制御用コンピュータに更に実行させることとすることができる。
【００２９】
この場合において、請求項１６に記載のプログラムの如く、前記情報記録媒体が書き換え可能な情報記録媒体の場合には、前記第３の手順に先だって、事前に前記第２の手順でのデータの記録が上書きであるか否かを判断する第５の手順を前記制御用コンピュータに更に実行させ、その判断の結果、前記データの記録が上書きの場合に、前記第３の手順を前記制御用コンピュータに実行させることとすることができる。かかる場合には、前回と同じ条件でデータを記録することができるため、記録品質の低下を抑制することが可能となる。
【００３０】
請求項１７に記載の発明は、請求項９〜１６のいずれか一項に記載のプログラムが記録されたコンピュータ読み取り可能な記録媒体である。
【００３１】
これによれば、請求項９〜１６のいずれか一項に記載のプログラムが記録されているために、コンピュータに実行させることにより、記録品質に優れた記録を行うことが可能となる。
【００３２】
請求項１８に記載の発明は、光源をパルス発光させて情報記録媒体に対して記録を行う情報記録装置であって、前記情報記録媒体にマークを形成するときの前記光源の発光パルスの形状及びパルス数の少なくとも一方を含む記録条件を所定の基準に従って設定する条件設定手段と；前記記録条件に基づいて前記情報記録媒体にデータを記録するとともに、前記記録条件に関する情報を前記情報記録媒体の所定位置に記録する記録手段と；を備える情報記録装置である。
【００３３】
これによれば、条件設定手段により、情報記録媒体にマークを形成するときの光源の発光パルスの形状及びパルス数の少なくとも一方を含む記録条件が所定の基準に従って設定される。そして、その記録条件に基づいて記録手段により、情報記録媒体にデータが記録されるとともに、記録条件に関する情報が情報記録媒体の所定位置に記録される。従って、この情報記録媒体の所定位置を再生することにより、記録手段でデータが記録されたときの最適な記録条件を知ることができる。そこで、例えば別の情報記録装置を用いて、この情報記録媒体に更にデータを記録する場合には、情報記録媒体の所定位置を再生することにより、最適な記録条件を即座に知ることができる。従って、試し書きなどを行うことなく、迅速に記録品質に優れた記録を行うことが可能となる。
【００３４】
この場合において、請求項１９に記載の情報記録装置の如く、前記情報記録媒体に記録条件に関する情報が記録されているか否かを判断する判断手段と；前記判断手段での判断の結果、記録条件に関する情報が記録されている場合に、前記情報記録媒体から記録条件に関する情報を取得する条件取得手段と；を更に備え、前記条件設定手段は、前記条件取得手段で取得された記録条件に関する情報に従って前記記録条件を設定することとすることができる。
【００３５】
上記請求項１８及び１９に記載の各情報記録装置において、請求項２０に記載の情報記録装置の如く、前記情報記録媒体における最適な記録パワーを求めるための試し書き手段を更に備え、前記条件設定手段は、前記試し書き手段にて求められた最適な記録パワーを参照して前記記録条件を設定することとすることができる。
【００３６】
【発明の実施の形態】
以下、本発明の一実施形態を図１〜図７に基づいて説明する。
【００３７】
図１には、本発明の一実施形態に係る情報記録装置としての光ディスク装置の概略構成が示されている。
【００３８】
この図１に示される光ディスク装置２０は、光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、ＲＯＭ３９、ＣＰＵ４０及びＲＡＭ４１などを備えている。なお、図１における矢印は、代表的な信号や情報の流れを示すものであり、各ブロックの接続関係の全てを表すものではない。なお、本実施形態では、一例としてＣＤ−ＲＷの規格に準拠した情報記録媒体が光ディスク１５に用いられ、光ディスク１５に記録される情報はＣＤ系の規格であるＥＦＭ変調されるものとする。また、情報はマルチパルス記録方式で記録されるものとする。
【００３９】
前記光ピックアップ装置２３は、光ディスク１５のスパイラル状又は同心円状のトラックが形成された記録面にレーザ光を照射するとともに、記録面からの反射光を受光するための装置である。この光ピックアップ装置２３は、図２に示されるように、光源ユニット５１、コリメートレンズ５２、ビームスプリッタ５４、対物レンズ６０、検出レンズ５８、受光器５９、及び駆動系（フォーカシングアクチュエータ、トラッキングアクチュエータ及びシークモータ（いずれも図示省略））などを備えている。
【００４０】
前記光源ユニット５１は、波長が７８０ｎｍの光束を発光する半導体レーザ（図示省略）を含んで構成されている。なお、本実施形態では、光源ユニット５１から出射される光束の最大強度出射方向を＋Ｘ方向とする。この光源ユニット５１の＋Ｘ側には、前記コリメートレンズ５２が配置され、光源ユニット５１から出射された光束を略平行光とする。
【００４１】
コリメートレンズ５２の＋Ｘ側には、光ディスク１５からの戻り光束を−Ｚ方向に分岐するための前記ビームスプリッタ５４が配置されている。このビームスプリッタ５４の＋Ｘ側には、ビームスプリッタ５４を透過した光束を集光し、光ディスク１５の記録面に光スポットを形成する前記対物レンズ６０が配置されている。
【００４２】
また、ビームスプリッタ５４の−Ｚ側には、ビームスプリッタ５４で分岐された戻り光束を集光する前記検出レンズ５８が配置されている。この検出レンズ５８の−Ｚ側には、前記受光器５９が配置されている。受光器５９としては、通常の光ディスク装置と同様に、４分割受光素子が用いられている。この受光器５９は、光ディスク１５の記録面からの反射光を受光し、通常の光ピックアップ装置と同様に、ウォブル信号情報、再生データ情報、フォーカスエラー情報及びトラックエラー情報などを含む信号を出力する。
【００４３】
上記のように構成される光ピックアップ装置２３の作用を簡単に説明すると、光源ユニット５１から出射された光束は、コリメートレンズ５２で略平行光とされた後、ビームスプリッタ５４に入射する。ビームスプリッタ５４を透過した光束は、対物レンズ６０を介して光ディスク１５の記録面に微小スポットとして集光される。
【００４４】
光ディスク１５の記録面にて反射した反射光は、戻り光束として対物レンズ６０で略平行光とされ、ビームスプリッタ５４に入射する。ビームスプリッタ５４で−Ｚ方向に分岐された戻り光束は、検出レンズ５８を介して受光器５９で受光される。受光器５９からは、受光量に応じた信号が再生信号処理回路２８に出力される。
【００４５】
図１に戻り、前記再生信号処理回路２８は、光ピックアップ装置２３からの出力信号に基づいてウォブル信号、ＲＦ信号及びサーボ信号（フォーカスエラー信号、トラックエラー信号）などを検出する。そして、再生信号処理回路２８はウォブル信号からＡＴＩＰ（Ａｂｓｏｌｕｔｅ　Ｔｉｍｅ　Ｉｎ　Ｐｒｅｇｒｏｏｖｅ）情報等を抽出する。ここで抽出されたＡＴＩＰ情報はＣＰＵ４０に出力される。さらに、再生信号処理回路２８はＲＦ信号に対してＥＦＭ復調、デインターリーブ処理及びＣＩＲＣ（クロス・インターリーブ・リードソロモン・コード）による誤り訂正処理等を行なった後、バッファマネージャ３７を介してバッファＲＡＭ３４に格納する。また、サーボ信号は再生信号処理回路２８からサーボコントローラ３３に出力される。
【００４６】
前記サーボコントローラ３３は、トラックエラー信号に基づいて光ピックアップ装置２３のトラッキングアクチュエータを制御する制御信号を生成し、モータドライバ２７に出力する。また、サーボコントローラ３３は、フォーカスエラー信号に基づいて、光ピックアップ装置２３のフォーカシングアクチュエータを制御する制御信号を生成し、モータドライバ２７に出力する。
【００４７】
前記モータドライバ２７は、サーボコントローラ３３からの制御信号に基づいて、光ピックアップ装置２３のトラッキングアクチュエータ及びフォーカシングアクチュエータを制御する。すなわち、トラッキング制御及びフォーカス制御が行われる。なお、記録処理や再生処理などで光ディスク１５をアクセスしているときには、トラッキング制御及びフォーカス制御は随時行われる。また、モータドライバ２７は、ＣＰＵ４０の指示に基づいてスピンドルモータ２２及び光ピックアップ装置２３のシークモータを制御する。
【００４８】
前記バッファマネージャ３７は、バッファＲＡＭ３４へのデータの入出力を管理し、蓄積されたデータ量が所定の値になるとＣＰＵ４０に通知する。
【００４９】
前記エンコーダ２５は、ＣＰＵ４０の指示に基づいて、バッファＲＡＭ３４に蓄積されているデータをバッファマネージャ３７を介して取り出し、エラー訂正コードの付加、インターリーブ処理及びＥＦＭ変調等を行なうとともに、記録ストラテジに応じたパルス化処理を行い、光ディスク１５への書き込み信号を生成するとともに、再生信号処理回路２８からの記録チャネルクロックに同期して書き込み信号をレーザコントロール回路２４に出力する。
【００５０】
前記レーザコントロール回路２４は、図３に示されるように、ＬＤドライバ２４ａ、パルス設定回路２４ｂ及びパワー設定回路２４ｃなどから構成されている。パルス設定回路２４ｂは、ＣＰＵ４０からの指示に基づいてエンコーダ２５からの書き込み信号に対して立ち上がりエッジを調整してパルス幅を変更する。パワー設定回路２４ｃは、ＣＰＵ４０からの指示に基づいて記録パワーを設定する。ＬＤドライバ２４ａは、パルス設定回路２４ｂにてパルス調整された書き込み信号及びパワー設定回路２４ｃにて設定された記録パワーに基づいて、光ピックアップ装置２３の半導体レーザの出力を制御する。
【００５１】
前記インターフェース３８は、ホスト（例えばパソコン）との双方向の通信インターフェースであり、ＡＴＡＰＩ（ＡＴ　Ａｔｔａｃｈｍｅｎｔ　Ｐａｃｋｅｔ　Ｉｎｔｅｒｆａｃｅ）及びＳＣＳＩ（Ｓｍａｌｌ　Ｃｏｍｐｕｔｅｒ　Ｓｙｓｔｅｍ　Ｉｎｔｅｒｆａｃｅ）等の標準インターフェースに準拠している。
【００５２】
前記ＲＯＭ３９はプログラム領域とデータ領域とを備えており、プログラム領域には、ＣＰＵ４０にて解読可能なコードで記述された後述するデータの記録要求に応じて用いられるプログラム（以下、便宜上「記録制御プログラム」という）を含むプログラムが格納されている。なお、光ディスク装置２０の電源がオン状態になると、プログラム領域に格納されているプログラムは不図示のメインメモリにロードされる。また、ＲＯＭ３９のデータ領域には、一例として図４に示されるように、リードイン開始時間、ベンダコード及び記録ストラテジを示す番号とを含むストラテジテーブルが格納されている。ここでは、リードイン開始時間が「９７：２７：６０」（９７分２７秒６０フレーム）の光ディスクは、ベンダコードが「ＡＡＡ」であり、記録ストラテジは「０１」（例えば１Ｔ記録ストラテジ）である。また、リードイン開始時間が「９７：３１：００」（９７分３１秒００フレーム）の光ディスクは、ベンダコードが「ＢＢＢ」であり、記録ストラテジは「０２」（例えば２Ｔ記録ストラテジ）である。さらに、ＲＯＭ３９のデータ領域には、記録ストラテジに関する情報（以下「記録ストラテジ情報」という）のデフォルト値が記録ストラテジ毎に格納されている。
【００５３】
前記ＣＰＵ４０は、前記プログラムに従って上記各部の動作を制御するとともに、制御に必要なデータ等を一時的にＲＡＭ４１に保存する。
【００５４】
ここで、記録ストラテジ情報について図５（Ａ）及び図５（Ｂ）を用いて説明する。記録ストラテジ情報は、マークデータの長さｎＴ（ｎ＝３〜１１、Ｔは記録チャネルクロックの周期）に応じたパルス数及びパルス形状を含んで構成されている。例えば前記１Ｔ記録ストラテジでのパルス形状は、一例として図５（Ａ）に示されるように、基準となるパルス幅Ｔ、先頭加熱パルス幅Ａｎ（図５（Ａ）では、Ａ３、Ａ５、Ａ６）、中間加熱パルス幅Ｃｎ（図５（Ａ）では、Ｃ５、Ｃ６）、最終加熱パルス幅Ｂｎ（図５（Ａ）では、Ｂ３、Ｂ５、Ｂ６）、中間冷却パルス幅Ｄｎ（図５（Ａ）では、Ｄ３、Ｄ５、Ｄ６）、及び最終冷却パルス幅Ｅｎ（図５（Ａ）では、Ｅ３、Ｅ５、Ｅ６）などによって特定される。また、例えば前記２Ｔ記録ストラテジでのパルス形状は、一例として図５（Ｂ）に示されるように、基準となるパルス幅２Ｔ、先頭加熱パルス幅Ｆｎ（図５（Ｂ）では、Ｆ３、Ｆ５、Ｆ６）、中間加熱パルス幅Ｈｎ（図５（Ｂ）では、Ｈ６）、最終加熱パルス幅Ｇｎ（図５（Ｂ）では、Ｇ５、Ｇ６）、中間冷却パルス幅Ｉｎ（図５（Ｂ）では、Ｉ５、Ｉ６）、及び最終冷却パルス幅Ｊｎ（図５（Ｂ）では、Ｊ３、Ｊ５、Ｊ６）などによって特定される。
【００５５】
次に、光ディスク装置２０の所定位置に光ディスク１５がセットされた際に行われる、記録ストラテジを決定する処理（以下、便宜上「ストラテジ決定処理」という）について図６を用いて説明する。図６のフローチャートは、ＣＰＵ４０によって実行される一連の処理アルゴリズムに対応している。光ディスク１５が所定位置にセットされると、図６のフローチャートに対応するプログラムの先頭アドレスがＣＰＵ４０のプログラムカウンタにセットされ、ストラテジ決定処理がスタートする。
【００５６】
最初のステップ４０１では、光ディスク１５の所定位置に記録されているディスク情報を読み出す。
【００５７】
次のステップ４０３では、取得したディスク情報からリードイン開始時間を抽出する。
【００５８】
次のステップ４０５では、予めＲＯＭ３９に格納されているストラテジテーブルを読み出す。
【００５９】
次のステップ４０７では、光ディスク１５のリードイン開始時間をキーとしてストラテジテーブルを検索し、対応する記録ストラテジを抽出する。そして、その記録ストラテジを光ディスク１５に情報を記録する際の記録ストラテジとし、ストラテジ決定処理を終了する。
【００６０】
次に、ホストから記録要求コマンドを受信したときの処理（以下、便宜上「記録制御処理」という）について図７を用いて説明する。図７のフローチャートは、ＣＰＵ４０によって実行される一連の処理アルゴリズムに対応している。ホストから記録要求コマンドを受信すると、図７のフローチャートに対応するプログラムの先頭アドレスがＣＰＵ４０のプログラムカウンタにセットされ、記録制御処理がスタートする。
【００６１】
最初のステップ５０１では、ホストからの記録要求コマンドを解析し、指定された記録領域（以下「指定記録領域」という）のアドレス情報（先頭アドレス、最終アドレス）を求める。
【００６２】
次のステップ５０３では、光ディスク１５の所定位置に記録されている管理情報と、上記アドレス情報とに基づいて、今回のデータの記録が上書きであるか否かを判断する。ここで、上書きであればステップ５０３での判断は肯定され、ステップ５０５に移行する。
【００６３】
このステップ５０５では、指定記録領域におけるサブコードエリアに記録ストラテジ情報が記録されているか否かを判断する。ここで、記録ストラテジ情報が記録されていれば、ステップ５０５での判断は肯定され、ステップ５０７に移行する。
【００６４】
このステップ５０７では、指定記録領域におけるサブコードエリアから記録ストラテジ情報を読み出す。これによって、例えば記録ストラテジが１Ｔ記録ストラテジの場合には、基準となるパルス幅Ｔ、先頭加熱パルス幅Ａｎ、中間加熱パルス幅Ｃｎ、最終加熱パルス幅Ｂｎ、中間冷却パルス幅Ｄｎ、及び最終冷却パルス幅Ｅｎなどが求められる。また、例えば記録ストラテジが２Ｔ記録ストラテジの場合には、基準となるパルス幅２Ｔ、先頭加熱パルス幅Ｆｎ、中間加熱パルス幅Ｈｎ、最終加熱パルス幅Ｇｎ、中間冷却パルス幅Ｉｎ、及び最終冷却パルス幅Ｊｎなどが求められる。
【００６５】
次のステップ５０９では、読み出した記録ストラテジ情報をエンコーダ２５に通知する。これにより、書き込み信号を生成するときに準拠される記録ストラテジが設定される。
【００６６】
次のステップ５１１では、読み出した記録ストラテジ情報に最適な記録パワーに関する情報（以下「最適記録パワー情報」という）が付加されているか否かを判断する。ここで、最適記録パワー情報が付加されていなければ、ステップ５１１での判断は否定され、ステップ５１３に移行する。
【００６７】
このステップ５１３では、ＯＰＣ（Ｏｐｔｉｍｕｍ　Ｐｏｗｅｒ　Ｃｏｎｔｒｏｌ）を実行し、最適な記録パワーを決定する。すなわち、ＰＣＡ（Ｐｏｗｅｒ　Ｃａｌｉｂｒａｔｉｏｎ　Ａｒｅａ）と呼ばれる領域に、記録パワーを段階的に変化させて所定のテスト用データを試し書きし、その中で最も高い記録品質を示した記録パワーを最適な記録パワーとする。そして、得られた最適記録パワー情報をレーザコントロール回路２４のパワー設定回路２４ｃに通知する。
【００６８】
このステップ５１５では、記録ストラテジ情報に最適記録パワー情報を付加してサブコードデータに追加する。これにより、記録ストラテジ情報及び最適記録パワー情報は、光ディスク内の番地情報、記録する情報のエンコード情報、及びトラック番号などと同時にエンコードされることとなる。
【００６９】
次のステップ５１７では、エンコーダ２５に対して書き込み信号の生成を指示する。そして、ＡＴＩＰ情報に基づいて、光ピックアップ装置２３の位置が書き込み開始地点であると判断すると、エンコーダ２５に対して書き込み信号の出力を指示する。これにより、ホストからの記録データはサブコードデータとともに指定記録領域に記録される。全ての記録データの記録が終了すると、記録制御処理を終了する。
【００７０】
なお、ステップ５０３において、上書きでなければ、ステップ５０３での判断は否定され、ステップ５２５に移行する。
【００７１】
このステップ５２５では、前記ストラテジ決定処理で決定された記録ストラテジに対応する記録ストラテジ情報のデフォルト値をＲＯＭ３９から読み出す。
【００７２】
次のステップ５２７では、記録ストラテジ情報のデフォルト値に基づいて記録ストラテジを設定する。そして、設定した記録ストラテジ情報をエンコーダ２５に通知し、前述したステップ５１３に移行する。
【００７３】
また、ステップ５０５において、記録ストラテジ情報がサブコードエリアに記録されていなければ、ステップ５０５での判断は否定され、ステップ５２５に移行する。
【００７４】
さらに、ステップ５１１において、最適記録パワー情報が有れば、ステップ５１１での判断は肯定され、その最適記録パワー情報をレーザコントロール回路２４のパワー設定回路２４ｃに通知した後、ステップ５１７に移行する。
【００７５】
次に、ホストからの再生要求コマンドを受信した際の、光ディスク装置２０の処理動作について簡単に説明する。
【００７６】
ＣＰＵ４０はホストから再生要求コマンドを受信すると、再生速度に基づいてスピンドルモータ２２の回転を制御するための制御信号をモータドライバ２７に出力するとともに、ホストから再生要求コマンドを受信した旨を再生信号処理回路２８に通知する。そして、光ディスク１５の回転が所定の線速度に達すると、トラッキング制御及びフォーカス制御が行われる。また、再生信号処理回路２８はＡＴＩＰ情報を検出し、ＣＰＵ４０に通知する。
【００７７】
ＣＰＵ４０はＡＴＩＰ情報に基づいて、指定された読み込み開始地点に光ピックアップ装置２３が位置するようにシークモータを制御する信号をモータドライバ２７に出力する。ＣＰＵ４０はＡＴＩＰ情報に基づいて、光ピックアップ装置２３の位置が読み込み開始地点であると判断すると、再生信号処理回路２８に通知する。
【００７８】
そして、再生信号処理回路２８は、受光器５９の出力信号に基づいてＲＦ信号を検出し、誤り訂正処理等を行った後、バッファＲＡＭ３４に蓄積する。バッファマネージャ３７は、バッファＲＡＭ３４に蓄積された再生データがセクタデータとして揃ったときに、インターフェース３８を介してホストに転送する。
【００７９】
以上の説明から明らかなように、本実施形態では、ＣＰＵ４０及び該ＣＰＵ４０によって実行されるプログラムとによって、条件設定手段、記録手段、判断手段、条件取得手段、及び試し書き手段が構成されている。すなわち、図７のステップ５０９及びステップ５２７の処理によって条件設定手段が、ステップ５１７の処理によって記録手段が、ステップ５０５の処理によって判断手段が、ステップ５０７の処理によって条件取得手段が、ステップ５１３の処理によって試し書き手段が構成されている。しかしながら、本発明がこれに限定されるものではないことは勿論である。すなわち、上記実施形態は一例に過ぎず、上記のＣＰＵ４０によるプログラムに従う処理によって実現した構成各部の少なくとも一部をハードウェアによって構成することとしても良いし、あるいは全ての構成部分をハードウェアによって構成することとしても良い。
【００８０】
また、本実施形態では、ＲＯＭ３９にインストールされているプログラムのうち、図７のフローチャートで示される処理に対応するプログラムによって前記記録制御プログラムが構成されている。すなわち、図７のステップ５０９及びステップ５２７の処理に対応するプログラムによって本発明に係るプログラムの第１の手順が、ステップ５１５及びステップ５１７の処理に対応するプログラムによって第２の手順が、ステップ５０５の処理に対応するプログラムによって第３の手順が、ステップ５０７の処理に対応するプログラムによって第４の手順が、ステップ５０１とステップ５０３の処理に対応するプログラムによって第５の手順が構成されている。
【００８１】
そして、図７のステップ５０９及びステップ５２７の処理によって本発明に係る記録方法の第１工程が実施され、ステップ５１５及びステップ５１７の処理によって第２工程が実施され、ステップ５０５の処理によって第３工程が実施され、ステップ５０７の処理によって第４工程が実施され、ステップ５０１とステップ５０３の処理によって第５工程が実施されている。
【００８２】
以上説明したように、本実施形態に係る光ディスク装置２０及び記録方法によると、光ディスク１５にユーザデータを記録する際に、記録ストラテジ情報も同時に記録しているために、他の光ディスク装置を用いて光ディスク１５にユーザデータを上書きする場合に、同じ条件で記録することができる。従って、結果的に記録品質に優れた記録を行うことが可能となる。
【００８３】
また、本実施形態によると、サブコードエリアに記録ストラテジ情報を記録しているため、ユーザデータに依存することなく記録ストラテジ情報を記録することができる。
【００８４】
また、本実施形態によると、光ディスク１５のサブコードエリアに記録ストラテジ情報が記録されている場合には、その記録ストラテジ情報に基づいて記録条件を設定し、その記録条件でユーザデータの上書きを行っている。それにより、前回の記録条件とほぼ同じ記録条件で上書きすることができ、記録品質に優れた記録を行うことが可能となる。
【００８５】
なお、上記実施形態では、記録ストラテジ情報及び最適記録パワー情報がサブコードエリアに記録される場合について説明したが、本発明がこれに限定されるものではない。例えば、トラックアットワンス方式、セッションアットワンス方式及びディスクアットワンス方式で記録が行われる場合には、リードアウト領域のように、ダミーデータが記録される領域（以下、「ダミーデータ領域」ともいう）に記録ストラテジ情報及び最適記録パワー情報が記録されても良い。また、パケットライト方式で記録が行われる場合には、パッケット間のリンク領域（ランアウト）に記録ストラテジ情報及び最適記録パワー情報が記録されても良い。これにより、サブコードエリアに記録する場合よりも多くの情報を記録することが可能となる。この場合の記録制御処理について、図８のフローチャートを用いて説明する。
【００８６】
最初のステップ６０１及び６０３では、それぞれ上記ステップ５０１及び６０３と同じ処理を行う。そして、ステップ６０３において、今回のユーザデータの記録が上書きであれば、ステップ６０３での判断は肯定され、ステップ６０５に移行する。
【００８７】
ステップ６０５では、所定のダミーデータ領域に記録ストラテジ情報が記録されているか否かを判断する。ここで、ダミーデータ領域に記録ストラテジ情報が記録されていれば、ステップ６０５での判断は肯定され、ステップ６０７に移行する。
【００８８】
このステップ６０７では、ダミーデータ領域から記録ストラテジ情報を読み出す。
【００８９】
次のステップ６０９及び６１１では、それぞれ上記ステップ５０９及び５１１と同じ処理が行われる。そして、ステップ６１１において、最適記録パワー情報が付加されていなければ、ステップ６１１での判断は否定され、ステップ６１３に移行する。
【００９０】
このステップ６１３及び６１５では、それぞれ上記ステップ５１３及び５１７と同じ処理が行われる。
【００９１】
次のステップ６１７では、記録ストラテジ情報に最適記録パワー情報を付加してダミーデータ領域に記録する。
【００９２】
なお、ステップ６０３において、上書きでなければ、ステップ６０３での判断は否定され、ステップ６２５に移行する。
【００９３】
このステップ６２５及び６２７では、それぞれ上記ステップ５２５及び５２７と同じ処理が行われる。
【００９４】
また、ステップ６０５において、記録ストラテジ情報がダミーデータ領域に記録されていなければ、ステップ６０５での判断は否定され、ステップ６２５に移行する。
【００９５】
さらに、ステップ６１１において、最適記録パワー情報が有れば、ステップ６１１での判断は肯定され、ステップ６１５に移行する。
【００９６】
なお、上記実施形態では、ユーザデータをＥＦＭ変調する場合について説明したが、これに限定されるものではない。
【００９７】
また、上記実施形態では、記録ストラテジ情報がパルス数とパルス形状とを含んで構成される場合について説明したが、これに限らず、例えばパルス数及びパルス形状のいずれかを含んで構成されても良い。
【００９８】
さらに、上記実施形態において、記録速度を記録ストラテジ情報に付加しても良い。
【００９９】
また、上記実施形態では、上書きの場合にのみ、光ディスクから記録ストラテジ情報を取得し、その記録ストラテジ情報に基づいて記録条件を設定しているが、これに限らず、上書きでない場合であっても、光ディスクに記録されている記録ストラテジ情報に基づいて記録条件を設定しても良い。
【０１００】
また、上記実施形態において、光ディスク装置に関する情報（例えば装置番号）を記録ストラテジ情報とともに、光ディスクに記録しても良い。
【０１０１】
また、上記実施形態では、光ディスクがＣＤ−ＲＷの場合について説明したが、これに限定されるものではなく、マルチパルス記録方式で情報が記録される情報記録媒体であれば良い。例えば記録層に有機色素を含むＤＶＤ＋Ｒ（ＤＶＤ＋ｒｅｃｏｒｄａｂｌｅ）であっても良い。
【０１０２】
また、上記実施形態では、情報の記録及び再生が可能な光ディスク装置について説明したが、これに限らず、少なくとも情報の記録が可能な光ディスク装置であれば良い。
【０１０３】
また、上実施形態では、光源が１つの場合について説明したが、本発明がこれに限定されるものではない。
【０１０４】
また、上記実施形態では、記録制御プログラムは、ＲＯＭ３９に記録されているが、他の記録媒体（ＣＤ−ＲＯＭ、光磁気ディスク、フラッシュメモリ、フレキシブルディスク等）に記録されていても良い。この場合には、各記録媒体に対応するドライブ装置を付加し、各ドライブ装置から記録制御プログラムをインストールすることとなる。要するに、記録制御プログラムがＣＰＵ４０のメインメモリにロードされれば良い。
【０１０５】
【発明の効果】
以上説明したように、本発明に係る記録方法によれば、記録品質に優れた記録を行うことができるという効果がある。
【０１０６】
また、本発明に係るプログラム及び記録媒体によれば、情報記録装置の制御用コンピュータにて実行され、記録品質に優れた記録を行うことができるという効果がある。
【０１０７】
また、本発明に係る情報記録装置によれば、記録品質に優れた記録を行うことができるという効果がある。
【図面の簡単な説明】
【図１】
本発明の一実施形態に係る光ディスク装置の構成を示すブロック図である。
【図２】
図１における光ピックアップ装置の詳細構成を説明するためのブロック図である。
【図３】
図１におけるレーザコントロール回路の詳細構成を説明するためのブロック図である。
【図４】
記録ストラテジテーブルを説明するための図である。
【図５】
図５（Ａ）は、１Ｔ記録ストラテジでのストラテジ情報を説明するためのタイミングチャートであり、図５（Ｂ）は、２Ｔ記録ストラテジでのストラテジ情報を説明するためのタイミングチャートである。
【図６】
光ディスクが光ディスク装置にセットされたときに行われるストラテジ決定処理を説明するためのフローチャートである。
【図７】
本発明の実施形態に係る記録制御処理を説明するためのフローチャートである。
【図８】
ストラテジ情報がダミーデータ領域に記録される場合における記録制御処理を説明するためのフローチャートである。
【図９】
マルチパルス記録方式を説明するためのタイミングチャートである。
【符号の説明】
１５…光ディスク（情報記録媒体）、２０…光ディスク装置（情報記録装置）、３９…ＲＯＭ（記録媒体）、４０…ＣＰＵ（条件設定手段、記録手段、判断手段、条件取得手段、試し書き手段）。
【図１】
2004086951.tif 000003
【図２】
2004086951.tif 000004
【図３】
2004086951.tif 000005
【図４】
2004086951.tif 000006
【図５】
2004086951.tif 000007
【図６】
2004086951.tif 000008
【図７】
2004086951.tif 000009
【図８】
2004086951.tif 000010
【図９】
2004086951.tif 000011